(57)【要約】【課題】障害者や病人用、老人用、小児用のトイレに最適なトイレ情報システムを提供する。また、誤動作の生ずる恐れのないトイレ情報システムを提供する。さらに、操作簡単で、監視の容易なトイレ情報システムを提供する。【解決手段】トイレ１００内に赤外線人体検知装置２０を設けると共に、トイレ入口１０１に赤外線遮断検知装置１０を備え、赤外線遮断検知装置１０により人体を検知したのち、赤外線人体検知装置２０を動作させるようにしたものである。【選択図】    図１
2004267558.tif 000002
【特許請求の範囲】
【請求項１】
トイレ内に赤外線人体検知装置を設けると共に、トイレ入口に赤外線遮断検知装置を備え、赤外線遮断検知装置により人体を検知したのち、赤外線人体検知装置を動作させるようにしたことを特徴とするトイレ情報システム。
【請求項２】
赤外線遮断検知装置を近赤外線による焦電型赤外線センサーを用いて行うことを特徴とする請求項１記載のトイレ情報システム。
【請求項３】
赤外線遮断検知装置の動作後、入室初期起動タイマーを介して、赤外線人体検知装置を動作するようにしたことを特徴とする請求項１及び２記載のトイレ情報システム。
【請求項４】
赤外線人体検知装置の動作により長時間滞在監視タイマーが動作すると共に、静止監視タイマーが動作し、トイレ内の人体の動き乃至移動しているときは、静止監視タイマーがリセットし、トイレ内の人体が静止したときは、静止監視タイマーが動作して、人体の一定時間の静止状態が続いたとき非常通報できるようにした請求項３記載のトイレ情報システム。
【発明の詳細な説明】
【０００１】
【発明の属する技術分野】
本発明は、トイレに出入りする人体の動き及びトイレ内の人体の状況を監視するトイレ情報システムに関する。
【０００２】
【従来の技術】
従来、トイレ内で人体を検知する赤外線人体検知装置は、多くの装置があったが、通常天井に取り付けられ、赤外線検知エリアを真下方向又は斜め下方に向けて設定しているため、犬や猫などの小動物が入室しても放出する赤外線を検知して誤動作する欠点があった。
また、入口のドアのロックにより赤外線人体検知装置を動作させるため、ドアの開いた状態や半ドア、半開きでは赤外線人体検知装置が動作しない欠点があった。
そこで、本発明者は、トイレ入口に、近赤外線領域で、検出感度に波長依存性がない焦電型赤外線センサーを用いた赤外線遮断検知装置を設けて、トイレ入口における人体の出入りを検知すると共に、トイレ内に赤外線人体検知装置を設けてトイレ内の人体を検知し、２重に人体を検知することにより、動物による誤動作やドアロックの有無による誤動作を防止できることを見出し、さらに、カーテン引き等によるドアなしの場合にも人体の出入りに適用できる本発明装置を完成した。
また、本発明者は、入室初期起動タイマーと、長時間滞在監視タイマーと、長時間静止監視タイマーとを設けることにより、トイレ内の人体の動静を明確に把握することに成功した。
【０００３】
【発明が解決しようとする課題】
本発明は、障害者や病人用、老人用、小児用のトイレに最適なトイレ情報システムを提供するものである。
また、本発明は、誤動作の生ずる恐れのないトイレ情報システムを提供するものである。
さらに、本発明は、操作簡単で、監視の容易なトイレ情報システムを提供するものである。
【０００４】
【課題を解決するための手段】
本発明トイレ情報システムは、上記課題を達成するため、図示するように、トイレ内に赤外線人体検知装置を設けると共に、トイレ入口に赤外線遮断検知装置を備え、赤外線遮断検知装置により人体を検知したのち、赤外線人体検知装置を動作させるようにしたものである。
また、本発明トイレ情報システムは、上記課題を達成するため、図示するように、赤外線遮断検知装置を近赤外線による焦電型赤外線センサーを用いるものである。
また、本発明トイレ情報システムは、上記課題を達成するため、図示するように、赤外線遮断検知装置の動作後、入室初期起動タイマーを介して、赤外線人体検知装置を動作するようにしたものである。
さらにまた、本発明トイレ情報システムは、上記課題を達成するため、図示するように、赤外線人体検知装置の動作により長時間滞在監視タイマーが動作すると共に、静止監視タイマーが動作し、トイレ内の人体の動き乃至移動しているときは、静止監視タイマーがリセットし、トイレ内の人体が静止したときは、静止監視タイマーが動作して、人体の一定時間の静止状態が続いたとき非常通報できるようにしたものである。
【０００５】
【発明の実施の形態】
本発明の実施の形態が図１、図２及び図３に示されている。
本発明トイレ情報システムは、図１及び図２に示すように、トイレ入口１０１の赤外線遮断検知装置１０と、トイレ入室初期起動タイマー１１と、トイレ内の赤外線人体検知装置２０と、長時間滞在監視タイマー２１と、長時間静止監視タイマー２２と、長時間滞在の監視ブザー３１と、長時間静止監視ブザー３２とを主構成に配置したものである。
本発明実施例において、トイレ入口１０１を人物が通過する毎に赤外線遮断検知装置１０により入室初期起動タイマー１１のセット、リセットが行われ、トイレ内に人物が滞在の状態では、入口の赤外線遮断検知装置１０のセンサーによって人物を感知した後、監視スタンバイ状態となり、この状態でトイレ１００内の赤外線人体検知装置２０のセンサーが動作することによって監視が開始される。また、誤動作防止を図るため、トイレ入室初期起動タイマー１１の設定時限後に赤外線人体検知装置２０のセンサーが動作した時点から監視が開始される。上記タイマー１１は約１〜１８０秒の間で調整可能とした。すなわち、タイマー１１の設定時限後に赤外線人体検知装置２０のセンサーが動作するとトイレ１００内の滞在監視の開始となる。
上記入室初期起動タイマー１１の設定時限後に室内の赤外線人体検知装置２０のセンサーが動作すると、リレー（図示しない）によりトイレ内滞在検出が開始される。
一度滞在検出が開始されると、トイレ入口１０１の赤外線遮断検知装置１０のセンサーが動作しない限り、長時間滞在監視タイマー２１の設定時限後には長時間不法滞在となる。上記タイマー２１は約２分〜６０分の間で調整可能とした。
上記長時間滞在監視タイマー２１の動作中にトイレ内で人物の動き（移動）により、赤外線人体検知装置２０のセンサーが動作すれば、長時間静止監視タイマー２２がその都度リセットされ滞在者が健全であることが判断できる。
長時間滞在監視タイマー２１の動作中に、内部で人物が完全静止（倒れた場合、気を失った場合など）した場合は、長時間静止監視タイマー２２の設定時限後に非常警報ブザー３２を出力する。上記長時間静止監視タイマーは約２分〜６０分の間で調整可能とした。
警報ブザー３２のリセットは、警報解除スィッチ（図示しない）をロックするか、入口の赤外線遮断検知装置１０のセンサーを通過することでリセットされる。
【０００６】
【発明の効果】
本発明によれば、トイレ入口を通過する人物を検知するセンサーとトイレ内の人物を検出するセンサーとを設け、二重に検知することで、動物等による誤動作やドアロックの有無、ドアなしの場合の誤動作の発生が完全に防止された。
また、本発明品は、トイレ内で用便等の動きをしている場合と倒れたり気を失ったりなどして静止している場合を赤外線人体検知装置のセンサーとタイマーによりそれぞれ識別して警報を発するようにしているので、トイレ内の監視が明確にできるようになった。
【図面の簡単な説明】
【図１】本発明の実施の形態を示す説明図である。
【図２】本発明システムのブロック線図である。
【図３】本発明システムのシーケンス図の一例である。
【符号の説明】
１００    トイレ室
１０１    トイレ入口
１０２    トイレ
１０      赤外線遮断検知装置
１１      入室初期起動タイマー
２０      赤外線人体検知装置
２１      長時間滞在監視タイマー
２２      長時間静止監視タイマー
３１      監視ブザー
３２      警報ブザー
【図１】
2004267558.tif 000003
【図２】
2004267558.tif 000004
【図３】
2004267558.tif 000005